(57)【要約】【課題】コモンモードノイズによる遠隔制御の誤動作及び不動作の抑制を図る。【解決手段】点灯装置は、交流の電力系統と電気的に接続されるフィルタ部と、電力系統から入力されてフィルタ部を通過する交流電圧を整流する整流器と、整流器から出力される脈流電圧を直流電圧に変換してＬＥＤモジュールに供給する電力変換回路と、制御信号を受け取り、受け取った前記制御信号に応じて電力変換回路を制御する制御回路とを備える。フィルタ部は、電力系統と整流器を電気的に接続する電路に挿入されるコモンモードフィルタと、コモンモードフィルタに電気的に接続される電路と導電性のケース１８間に電気的に接続されるバイパスコンデンサＣｃとを有する。コモンモードフィルタと第１コンデンサにおけるコモンモードノイズのカットオフ周波数ｆｃは、制御信号を伝送する赤外線信号の搬送波周波数ｆＲよりも低い。【選択図】        図７
2020004590.tif 000002
【特許請求の範囲】
【請求項１】
交流の電力系統と電気的に接続されるフィルタ部と、
前記電力系統から入力されて前記フィルタ部を通過する交流電圧を整流する整流器と、
前記整流器から出力される脈流電圧を直流電圧に変換して固体光源に供給する電力変換回路と、
制御信号を受け取り、受け取った前記制御信号に応じて前記電力変換回路を制御する制御回路と
を備え、
前記フィルタ部は、
前記電力系統と前記整流器を電気的に接続する電路に挿入されるコモンモードフィルタと、
前記コモンモードフィルタに電気的に接続される電路と導電性の筐体間に電気的に接続される少なくとも一つの第１コンデンサと
を有し、
前記コモンモードフィルタと前記第１コンデンサにおけるコモンモードノイズのカットオフ周波数は、前記制御信号を伝送する無線信号の搬送波周波数よりも低い、
点灯装置。
【請求項２】
前記無線信号の搬送波周波数が３３ｋＨｚ〜４０ｋＨｚの範囲の周波数であり、
前記カットオフ周波数と前記搬送波周波数との差が２．５ｋＨｚ以上である、
請求項１記載の点灯装置。
【請求項３】
前記電力変換回路は、
前記整流器の一対の出力端間に電気的に接続された第２コンデンサと、
チョークコイルとスイッチング素子を有し、かつ、力率改善機能を有する少なくとも一つのスイッチング電源回路と
を備え、
前記第２コンデンサの静電容量の大きさを前記チョークコイルに流れる電流のピーク値で除した値が１００以上となる、
請求項１又は２記載の点灯装置。
【請求項４】
前記電力変換回路は、
前記整流器から出力される脈流電圧を昇圧する昇圧チョッパ回路と、
前記昇圧チョッパ回路の出力電圧を降圧する降圧チョッパ回路と
を有する、
請求項１〜３のいずれか１項に記載の点灯装置。
【請求項５】
請求項１〜４のいずれか１項の点灯装置と、
前記点灯装置によって点灯させられる固体光源と
を備える、
光源ユニット。
【請求項６】
前記無線信号を受信し、受信した前記無線信号から前記制御信号を取得する無線装置を備える、
請求項５記載の光源ユニット。
【請求項７】
請求項５又は６の光源ユニットと、
前記光源ユニットを支持する器具本体と
を備える、
照明器具。
【発明の詳細な説明】
【技術分野】
【０００１】
本発明は、点灯装置、光源ユニット及び照明器具に関する。より詳細には、本発明は、赤外線を媒体とする無線信号を受信し、当該無線信号によって光源を点灯させる点灯装置に関する。また、本発明は、前記点灯装置と前記光源を備える光源ユニット、及び前記光源ユニットと器具本体を備える照明器具に関する。
【背景技術】
【０００２】
従来例として特許文献１記載の赤外線リモートコントロール付き照明装置を例示する。当該従来例は、蛍光ランプと、蛍光ランプを点灯させる蛍光ランプ点灯装置と、赤外線リモートコントロール信号を受信して蛍光ランプ点灯装置を制御する赤外線リモートコントロール信号受信器とを具備している。さらに、赤外線リモートコントロール信号受信器は、赤外線受光手段と、赤外線リモートコントロール信号の搬送波の周波数を通過域に含み、かつ、通過域より周波数が高い減衰域に蛍光ランプの点灯周波数が含まれる電気的フィルタとを備える。つまり、前記従来例は、赤外線受光手段の電気出力に含まれる蛍光ランプの赤外光成分を電気的フィルタで減衰させることにより、赤外線リモートコントロール信号による遠隔制御の誤動作及び不動作の抑制を図っている。
【先行技術文献】
【特許文献】
【０００３】
【特許文献１】特開２００５−２６８１５９号公報
【発明の概要】
【発明が解決しようとする課題】
【０００４】
ところで、特許文献１記載の従来例では、蛍光ランプ点灯装置に流れるコモンモードノイズの周波数と、赤外線リモートコントロール信号の搬送波の周波数とが近い場合に、コモンモードノイズによって遠隔制御の誤動作及び不動作が生じる可能性がある。
【０００５】
本発明の目的は、コモンモードノイズによる遠隔制御の誤動作及び不動作の抑制を図ることができる点灯装置、光源ユニット及び照明器具を提供することである。
【課題を解決するための手段】
【０００６】
本発明の一態様に係る点灯装置は、交流の電力系統と電気的に接続されるフィルタ部と、前記電力系統から入力されて前記フィルタ部を通過する交流電圧を整流する整流器とを備える。前記点灯装置は、前記整流器から出力される脈流電圧を直流電圧に変換して固体光源に供給する電力変換回路と、制御信号を受け取り、受け取った前記制御信号に応じて前記電力変換回路を制御する制御回路とを備える。前記フィルタ部は、前記電力系統と前記整流器を電気的に接続する電路に挿入されるコモンモードフィルタと、前記コモンモードフィルタと電気的に接続される電路と導電性の筐体間に電気的に接続される少なくとも一つの第１コンデンサとを有する。前記コモンモードフィルタと前記第１コンデンサにおけるコモンモードノイズのカットオフ周波数は、前記制御信号を伝送する無線信号の搬送波周波数よりも低い。
【０００７】
本発明の一態様に係る光源ユニットは、前記点灯装置と、前記点灯装置によって点灯させられる固体光源とを備える。
【０００８】
本発明の一態様に係る照明器具は、前記光源ユニットと、前記光源ユニットを支持する器具本体とを備える。
【発明の効果】
【０００９】
本発明の点灯装置、光源ユニット及び照明器具は、コモンモードノイズによる遠隔制御の誤動作及び不動作の抑制を図ることができるという効果がある。
【図面の簡単な説明】
【００１０】
【図１】図１は、実施形態に係る照明器具の斜視図である。
【図２】図２は、実施形態に係る光源ユニット及び同上の照明器具の分解斜視図である。
【図３】図３は、実施形態に係る点灯装置の回路図である。
【図４】図４は、同上の光源ユニットにおける無線装置の分解斜視図である。
【図５】図５は、同上の光源ユニットにおける無線装置の取付部分を示す、一部省略した斜視図である。
【図６】図６は、同上の点灯装置におけるフィルタのフィルタ特性図である。
【図７】図７は、同上の点灯装置の効果を確認するための実験の結果を示すグラフである。
【発明を実施するための形態】
【００１１】
以下、実施形態に係る点灯装置、光源ユニット及び照明器具について、図面を参照して詳細に説明する。ただし、実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１２】
まず、本実施形態の照明器具３を説明する。
【００１３】
本実施形態の照明器具３は、図１及び図２に示すように、本実施形態の光源ユニット２と、光源ユニット２を支持する器具本体４とを有している。光源ユニット２は、天井に直付けされる器具本体４に着脱可能に取り付けられる。ただし、器具本体４は、天井に埋め込まれてもよいし、あるいは、壁に直付けされてもよいし、壁に埋め込まれてもよい。
【００１４】
器具本体４は、下面が開放された矩形箱状の収容部４０と、収容部４０の長手方向に沿った両側の開口端縁より斜め上向きに突出する一対の反射板４１と、収容部４０及び一対の反射板４１の長手方向の両端に設けられた一対のエンド板４２とを備える（図２参照）。器具本体４は、収容部４０の底面に設けられている複数の取付孔４００のうちの少なくともいずれか二つの取付孔４００に吊りボルト（不図示）がそれぞれ挿通され、それらの吊りボルトにナット（不図示）が締め付けられることで天井に設置される。また、収容部４０の底面に設けられている複数の電源孔４０１のうちのいずれか一つの電源孔４０１に電源線が挿通される。電源孔４０１に挿通された電源線は、端子台（不図示）を介して、点灯装置１と電気的に接続される。
【００１５】
光源ユニット２は、図２に示すように、本実施形態の点灯装置１と、点灯装置１によって点灯させられる二つのＬＥＤモジュール２２とを備えている。また、光源ユニット２は、取付部材２１と、カバー２３と、無線装置５とを備えることが好ましい。
【００１６】
ＬＥＤモジュール２２は、多数のＬＥＤ２２０と、基板２２１と、中継コネクタ２２３とを備えている。基板２２１は、長尺の矩形板状に形成されている。多数のＬＥＤ２２０は、基板２２１の表面（下面）における短手方向の中央に、基板２２１の長手方向に沿って等間隔かつ一列に並べて実装されている。中継コネクタ２２３は、それぞれのＬＥＤモジュール２２の基板２２１において、二つのＬＥＤモジュール２２同士が長手方向に沿って隣り合う側の端部にそれぞれ実装されている。一方のＬＥＤモジュール２２（図２における右側のＬＥＤモジュール２２）に入力コネクタ２２２が実装されている。入力コネクタ２２２は、右側のＬＥＤモジュール２２の基板２２１において、中継コネクタ２２３が実装されている側と反対側の端部（右側の端部）に実装されている。
【００１７】
取付部材２１は、金属板によって長尺の角樋状に形成されている。取付部材２１は、長尺の矩形板状の底板２１０と、底板２１０の長手方向に沿った両端から上向きに立ち上がる一対の側板２１１とを有している。二つのＬＥＤモジュール２２は、互いの中継コネクタ２２３同士が電気的に接続された状態で、底板２１０から切り起こされている複数の爪によって底板２１０の下面に取り付けられている。なお、ＬＥＤモジュール２２の入力コネクタ２２２は、電線によって点灯装置１の出力用のコネクタと電気的に接続される。
【００１８】
カバー２３は、アクリル樹脂やポリカーボネート樹脂などの透光性を有する合成樹脂によって半円筒形状に形成されている。また、カバー２３は、長手方向に沿って上向きに突出する一対の突壁２３３を有している。カバー２３は、一対の突壁２３３の間に取付部材２１を収容し、取付部材２１の一対の側板２１１の先端（上端）に、一対の突壁２３３の先端（上端）に形成されている引掛部が引っ掛けられることで取付部材２１に取り付けられる。
【００１９】
点灯装置１は、プリント回路板１９と、プリント回路板１９を収容するケース１８とを有する。プリント回路板１９は、長方形状のプリント配線板に集積回路を含む種々の電子部品が実装されて構成されている。ケース１８は、金属板により、一面（下面）が開口した長尺の矩形箱状に形成されている。ケース１８は、プリント回路板１９を収容し、開口面を底板２１０の上面に向けるようにして取付部材２１に固定される。なお、ケース１８は、取付部材２１に固定された状態において、取付部材２１と電気的に接続されている。さらに、取付部材２１は、光源ユニット２が器具本体４に取り付けられた状態において器具本体４と電気的に接続されている。したがって、点灯装置１のケース１８は、取付部材２１を通して器具本体４と電気的に接続される。
【００２０】
点灯装置１の回路構成を図３に示す。点灯装置１は、入力コネクタ１００、フィルタ部１０１、整流器１０２、電力変換回路、出力コネクタ１０５、制御回路１０６、制御電源回路１０７、調光制御回路１０８、消灯制御回路１０９、制御用コネクタ１１０を備える。本実施形態における電力変換回路は、昇圧チョッパ回路１０３と降圧チョッパ回路１０４の二つのスイッチング電源回路を備えている。ただし、電力変換回路は、昇圧チョッパ回路１０３に代えて、降圧チョッパ回路、昇降圧チョッパ回路、フライバックコンバータなどの力率改善機能を有するスイッチング電源回路を備えていればよい。また、電力変換回路は、降圧チョッパ回路１０４に代えて、種々のチョッパ回路、シリーズレギュレータによる定電流回路などを備えてもよい。あるいは、電力変換回路は、力率改善機能と定電流制御機能を有するコンバータ回路であってもかまわない。
【００２１】
入力コネクタ１００は、商用の電力系統（交流電源９）と電気的に接続される。フィルタ部１０１は、コモンモードフィルタ（コモンモードチョークコイル）１０１０と、アクロス・ザ・ラインコンデンサ１０１１と、後述する第１コンデンサ（バイパスコンデンサＣｃ）とを有する。整流器１０２は、ダイオードブリッジで構成される。整流器１０２の一対の交流入力端子は、フィルタ部１０１及び入力コネクタ１００を介して交流電源９と電気的に接続される。整流器１０２は、交流電源９から供給される交流電圧及び交流電流を全波整流した脈流電圧及び脈流電流を一対の脈流出力端子から出力する。ただし、整流器１０２の一対の脈流出力端子間には、脈流電圧及び脈流電流のリップルを抑制するためのコンデンサＣｒ（第２コンデンサ）が電気的に接続されている。さらに、整流器１０２の低電位側の脈流出力端子は、バイパスコンデンサＣｃ（第１コンデンサ）を介してグランド（ケース１８）と電気的に接続されている。なお、バイパスコンデンサＣｃは、コモンモードフィルタ１０１０とともにコモンモードノイズ用のフィルタを構成する。
【００２２】
昇圧チョッパ回路１０３は、チョークコイルＬ１、スイッチング素子Ｑ１、整流素子Ｄ１、平滑コンデンサＣ１などで構成される、スイッチング電源回路（力率改善回路）である。また、降圧チョッパ回路１０４は、スイッチング素子Ｑ２、インダクタＬ２、整流素子Ｄ２、抵抗Ｒ１、平滑コンデンサＣ２などで構成される。整流器１０２から出力される脈流電圧が昇圧チョッパ回路１０３で昇圧され、昇圧チョッパ回路１０３から出力される直流電圧が降圧チョッパ回路１０４で降圧される。出力コネクタ１０５は、レセプタクルコネクタからなり、降圧チョッパ回路１０４の出力端子（平滑コンデンサＣ２の両端）と電気的に接続される。
【００２３】
制御回路１０６は、昇圧チョッパ回路１０３のスイッチング素子Ｑ１をスイッチングし、昇圧チョッパ回路１０３の出力電圧を一定に維持する。さらに、制御回路１０６は、降圧チョッパ回路１０４のスイッチング素子Ｑ２をスイッチングし、降圧チョッパ回路１０４の出力電流を目標値に一致させる。制御電源回路１０７は、昇圧チョッパ回路１０３の出力電圧から制御電圧（例えば、５Ｖ〜３Ｖ程度の直流電圧）を生成する。制御回路１０６は、制御電源回路１０７から供給される制御電圧で動作する。
【００２４】
制御用コネクタ１１０は、レセプタクルコネクタからなり、無線装置５のプラグコネクタ５３（図５参照）が差込接続される。後述するように、無線装置５から出力される制御信号が制御用コネクタ１１０を介して調光制御回路１０８と消灯制御回路１０９に入力される。
【００２５】
消灯制御回路１０９は、制御信号に応じて、点灯中のＬＥＤモジュール２２を消灯させるための消灯信号を生成して制御回路１０６に出力するように構成される。制御回路１０６は、消灯信号を受け取ると、スイッチング素子Ｑ２のスイッチングを中止して降圧チョッパ回路１０４を停止させ、ＬＥＤモジュール２２を消灯するように構成される。ただし、制御回路１０６は、消灯信号を受け取った場合、スイッチング素子Ｑ２だけでなくスイッチング素子Ｑ１のスイッチングも中止して昇圧チョッパ回路１０３と降圧チョッパ回路１０４を双方とも停止させてもよい。このように昇圧チョッパ回路１０３と降圧チョッパ回路１０４の双方が停止すれば、降圧チョッパ回路１０４のみが停止する場合と比較して、消灯中における点灯装置１の消費電力が削減される。
【００２６】
また、調光制御回路１０８は、制御信号に応じて、ＬＥＤモジュール２２の光出力（調光レベル）を指示する調光信号を生成して制御回路１０６に出力するように構成される。なお、調光レベルは、定格電力が供給されているときのＬＥＤモジュール２２の光出力を１００％としたとき、ＬＥＤモジュール２２に供給される単位時間当たりの平均電力の定格電力に対する比率（％）で表される。例えば、ＬＥＤモジュール２２に供給される単位時間当たりの平均電力が定格電力の半分のとき、調光レベルが５０％となる。言い換えると、調光制御回路１０８は、制御信号で指示される調光レベルが５０％であれば、降圧チョッパ回路１０４からＬＥＤモジュール２２に供給される単位時間当たりの平均電力を定格電力の半分にするように指示する調光信号を生成する。制御回路１０６は、調光制御回路１０８から受け取る調光信号に応じて、スイッチング素子Ｑ２のオンデューティ比を調整するように構成されることが好ましい。更に詳しく説明すると、調光制御回路１０８は、抵抗Ｒ１の両端電圧から降圧チョッパ回路１０４の出力電流を検出し、当該出力電流の平均値を調光レベルに対応した目標値に一致させるように、調光信号を生成するように構成されることが好ましい。
【００２７】
無線装置５は、図４に示すように、回路ブロック５０、筐体５１、信号ケーブル５２、プラグコネクタ５３などを備えている。回路ブロック５０は、回路基板５０Ａと、回路カバー５０Ｂとを有している。
【００２８】
回路ブロック５０は、図３に示すように、アンテナ５００、無線通信回路５０１、無線制御回路５０２、赤外線通信回路５０３、フォトカプラ５０４、抵抗Ｒ２、Ｒ３、信号出力端子５０５などを有している。回路基板５０Ａは、第１領域５０ＡＡと第２領域とに分けられている（図４参照）。第１領域５０ＡＡには、アンテナ５００を構成する導体が形成されている。また、第２領域には、アンテナ５００を除く、無線通信回路５０１、無線制御回路５０２、赤外線通信回路５０３、フォトカプラ５０４、抵抗Ｒ２、Ｒ３、信号出力端子５０５などが実装されている。なお、回路カバー５０Ｂは、電磁波を遮断する材料、例えば、銅板やアルミ板などの金属板で箱状に形成され、第２領域を覆うように回路基板５０Ａに取り付けられている。
【００２９】
無線通信回路５０１は、アンテナ５００で受信する無線信号、例えば、９２０ＭＨｚ帯の電波を媒体とする無線信号を受信し、当該無線信号から制御指令を取得する。なお、無線信号は、送信機から送信され、光源ユニット２の点灯・消灯や調光レベルの調整などを行うための制御指令を伝送する。無線通信回路５０１は、無線信号から取得した制御指令を無線制御回路５０２に出力する。無線制御回路５０２は、例えば、マイクロコントローラで構成されることが好ましい。無線制御回路５０２は、無線通信回路５０１から受け取った制御指令を伝送するための制御信号を生成する。また、無線制御回路５０２は、制御信号が伝送される一対の信号線と電気的に接続される。無線制御回路５０２には、フォトカプラ５０４の入力端子と、限流用の抵抗Ｒ２とが電気的に直列接続される。つまり、フォトカプラ５０４の入力端子には、信号線に伝送される制御信号が無線制御回路５０２を介して入力される。
【００３０】
信号出力端子５０５は、信号ケーブル５２を介して点灯装置１の制御用コネクタ１１０と電気的に接続される。信号ケーブル５２は３本の電線５２Ａ〜５２Ｃで構成される。そして、点灯装置１のグランドとフォトカプラ５０４の負極側の出力端子（フォトトランジスタのエミッタ）とが１本の電線５２Ａで電気的に接続される。また、制御電源回路１０７の出力端子と抵抗Ｒ３の一端との接続点が、他の１本の電線５２Ｂで電気的に接続される。さらに、抵抗Ｒ３の他端とフォトカプラ５０４の正極側の出力端子（フォトトランジスタのコレクタ）の接続点が、残り１本の電線５２Ｃで調光制御回路１０８及び消灯制御回路１０９と電気的に接続される。つまり、抵抗Ｒ３とフォトトランジスタの直列回路には常に一定の制御電源電圧が印加される。そのため、調光制御回路１０８及び消灯制御回路１０９に入力される制御信号は、フォトカプラ５０４の入力電圧がハイレベルのときにローレベルとなり、フォトカプラ５０４の入力電圧がローレベルのときにハイレベルとなる。例えば、無線制御回路５０２で生成される制御信号がパルス幅変調（ＰＷＭ）信号である場合を想定する。この場合、無線制御回路５０２は、制御指令の調光レベルが１００％のときに制御信号のデューティ比を９５％とし、調光レベルが低く（暗く）なるにつれてデューティ比を減少させればよい。調光制御回路１０８は、無線制御回路５０２から伝送される制御信号のデューティ比が９５％のときに調光レベルを１００％とし、デューティ比が減少するにつれて調光レベルを減少させればよい。また、消灯制御回路１０９は、制御信号のデューティ比が下限値（例えば、１０％）以下のときに、消灯信号を出力すればよい。
【００３１】
赤外線通信回路５０３は、赤外線を媒体とする無線通信を行う。すなわち、赤外線通信回路５０３は、回路基板５０Ａの第２領域に実装されている赤外線受光素子５０３Ａで赤外線信号を受信（受光）し、受信した赤外線信号から取得する設定情報及び制御情報を無線制御回路５０２に出力する。なお、設定情報は、例えば、無線信号（電波）の送信元である送信機に割り当てられている固有の識別情報である。また、制御情報は、光源ユニット２を点灯させる点灯司令、光源ユニット２を消灯させる消灯指令、及び光源ユニット２の調光レベルを指示する調光指令の各指令を含む情報である。なお、赤外線信号は、例えば、一般財団法人家電製品協会によって規定された規格、いわゆる、家電協フォーマットに準拠している。家電協フォーマットでは、波長のピーク値が９００〜９５０ｎｍの赤外線であり、デューティ比が５０％、周波数が３３ｋＨｚ以上、４０ｋＨｚ以下の方形波からなる搬送波が使用される。
【００３２】
無線制御回路５０２は、赤外線通信回路５０３から受け取った設定情報を、マイクロコントローラに内蔵されているメモリに記憶する。無線通信回路５０１は、アンテナ５００で受信する無線信号から、制御指令だけでなく、送信元の送信機の識別情報を取得して無線制御回路５０２に出力する。無線制御回路５０２は、無線通信回路５０１から受け取った識別情報がメモリに記憶（登録）されている識別情報と一致すれば、無線通信回路５０１から受け取った制御指令を伝送するための制御信号を生成する。一方、無線制御回路５０２は、無線通信回路５０１から受け取った識別情報がメモリに記憶されている識別情報と一致しなければ、無線通信回路５０１から受け取った制御指令を破棄して制御信号を生成しない。つまり、無線制御回路５０２は、無線通信回路５０１が複数の送信機から無線信号を受信可能であっても、識別情報があらかじめ登録されている特定の送信機から送信される制御指令だけを受け入れる。
【００３３】
無線制御回路５０２は、赤外線通信回路５０３から制御情報を受け取ると、受け取った制御情報に含まれる指令（点灯指令、消灯指令、調光指令）を伝送するための制御信号を生成する。無線制御回路５０２は、点灯指令を伝送する場合、デューティ比を９５％としたＰＷＭ信号からなる制御信号を生成する。また、無線制御回路５０２は、消灯指令を伝送する場合、デューティ比を下限値以下としたＰＷＭ信号からなる制御信号を生成する。さらに、無線制御回路５０２は、調光指令を伝送する場合、調光指令で指示された調光レベルに対応するデューティ比のＰＷＭ信号からなる制御信号を生成する。
【００３４】
筐体５１は、図４に示すように、ボディ５１０とカバー５１１を備えている。ボディ５１０は、一面（下面）が開放された箱状の合成樹脂成形体で構成されている。ボディ５１０は、短手方向に対向する２つの側壁のうちの一方の側壁に、信号ケーブル５２が挿通される挿通溝５１００が設けられている。また、ボディ５１０は、２つの雌ねじ部５１０１を有している。さらに、ボディ５１０は、長手方向に対向する２つの側壁に、一対の引掛孔５１０２がそれぞれ短手方向に並ぶように設けられている。
【００３５】
カバー５１１は、矩形板状の蓋体５１１０と、２対の固定脚５１１１と、アンテナ収容部５１１２とを有している。固定脚５１１１は、蓋体５１１０の短手方向に沿った両端から、それぞれ上向きに突出するように形成されている。なお、これら２対の固定脚５１１１の先端（上端）には、外向きに突出する引掛爪５１１１０が設けられている。アンテナ収容部５１１２は、へん平な矩形箱状に形成されている。また、アンテナ収容部５１１２は、蓋体５１１０の下面から下向きに突出し、蓋体５１１０の上面に開口するように蓋体５１１０と一体に形成されている。また、アンテナ収容部５１１２の長手方向の端部には、蓋体５１１０の厚み方向（上下方向）に貫通する貫通孔５１１３が設けられている。
【００３６】
ボディ５１０とカバー５１１は、カバー５１１の２対の固定脚５１１１がボディ５１０の４つの引掛孔５１０２に引っ掛けられることによって結合される。回路ブロック５０は、回路カバー５０Ｂが取り付けられている回路基板５０Ａの第２領域がボディ５１０内に収容され、回路基板５０Ａの第１領域５０ＡＡ（アンテナ５００）がアンテナ収容部５１１２に収容される。なお、カバー５１１の貫通孔５１１３は、回路基板５０Ａの第２領域に実装されている赤外線受光素子５０３Ａの受光部と対向している。つまり、図示しない設定器（ワイヤレスリモートコントローラ）から送信される赤外線信号は、筐体５１（カバー５１１）の貫通孔５１１３を通して赤外線受光素子５０３Ａに受信（受光）される。
【００３７】
無線装置５は、図５に示すように、取付部材２１の底板２１０に取り付けられる。底板２１０の長手方向の一端部（図２における左端部）に長方形の開口部２１３が設けられている。無線装置５の筐体５１は、アンテナ収容部５１１２を底板２１０の上面側から下面側に向かって開口部２１３に通した状態で底板２１０の上面に固定される。つまり、無線装置５は、アンテナ収容部５１１２を開口部２１３から底板２１０の下面側に突き出させた状態で取付部材２１に取り付けられる（図５参照）。また、筐体５１の貫通孔５１１３は、開口部２１３を通して底板２１０の下面側に露出している。したがって、ワイヤレスリモートコントローラから送信される赤外線信号は、透光性を有するカバー２３を透過し、底板２１０の開口部２１３から露出する貫通孔５１１３を通して赤外線通信回路５０３の赤外線受光素子５０３Ａに受光（受信）される。
【００３８】
ここで、点灯装置１の昇圧チョッパ回路１０３からバイパスコンデンサＣｃを通してケース１８に流れるコモンモードノイズの周波数と、赤外線信号の搬送波の周波数との差が小さいほど、コモンモードノイズが赤外線信号に干渉する可能性が高くなる。そして、コモンモードノイズが赤外線信号と干渉した場合、無線装置５（無線装置５による遠隔制御）が誤動作したり、不動作となる可能性が高まる。なお、コモンモードノイズは、主として、昇圧チョッパ回路１０３のスイッチング素子Ｑ１のスイッチング動作に起因して発生する。ゆえに、コモンモードノイズの周波数は、スイッチング素子Ｑ１のスイッチング周波数と一致する。また、コモンモードノイズのレベルは、スイッチング素子Ｑ１のスイッチングに伴ってチョークコイルＬ１に流れる電流ＩＬのピーク値（ＩＬｐ）に比例（正比例）し、かつ、リップル抑制用のコンデンサＣｒの静電容量に反比例（逆比例）すると考えられる。
【００３９】
そこで、点灯装置１では、コモンモードフィルタ１０１０とバイパスコンデンサＣｃとで構成されるコモンモードノイズ用のフィルタ（低域通過フィルタ）のカットオフ周波数ｆｃを赤外線信号の搬送波周波数ｆＲよりも低くしている（図６参照）。なお、本発明者らは、搬送波周波数ｆＲを固定し、カットオフ周波数ｆｃを変化させて無線装置５（遠隔制御）の誤動作及び不動作が生じるか否かの実験を行った。以下、当該実験の結果について、図６及び図７を参照して説明する。
【００４０】
実験の条件として、赤外線信号の搬送波周波数ｆＲを３６．７ｋＨｚとし、カットオフ周波数ｆｃを２７ｋＨｚ以上、４４ｋＨｚ未満の範囲の値とした。また、交流電源９の電源電圧（実効値）は、１００Ｖ（周波数５０Ｈｚ）とした。さらに、コモンモードノイズのレベルを示すパラメータＰ１として、コンデンサＣｒの静電容量ｃｒを、チョークコイルＬ１に流れる電流ＩＬのピーク値ＩＬｐで除した値（ｃｒ／ＩＬｐ［ｎＦ／Ａ］）を採用した。
【００４１】
図７は、横軸をカットオフ周波数ｆｃとし、縦軸をパラメータＰ１（＝ｃｒ／ＩＬｐ）としている。図７には、一定の距離から光源ユニット２（の無線装置５）に向けて赤外線信号を所定回数（１０回）送信したときに誤動作及び不動作が生じた割合を３種類の記号○、△、×で示している。記号○は、１０回中に誤動作及び不動作が１回も生じなかったことを示している。記号△は、１０回中に誤動作及び不動作が１〜９回生じたことを示している。記号×は、１０回中に誤動作及び不動作が１０回生じたことを示している。例えば、カットオフ周波数ｆｃ＝３４．２ｋＨｚ、パラメータＰ１＝３２５ｎＦ／Ａとしたときの実験結果は、記号○で示されている。また、カットオフ周波数ｆｃ＝３４．２ｋＨｚ、パラメータＰ１＝１５０ｎＦ／Ａとしたときの実験結果は、記号△で示されている。さらに、カットオフ周波数ｆｃ＝３２．８ｋＨｚ、パラメータＰ１＝６８ｎＦ／Ａとしたときの実験結果は、記号×で示されている。
【００４２】
図７に示す実験結果によれば、カットオフ周波数ｆｃが３４．２ｋＨｚ以下のとき、無線装置５（遠隔制御）の誤動作及び不動作が１０回中に１０回生じた割合（記号×の個数）は、２／１７×１００％≒１２％となる。したがって、本実施形態の点灯装置１は、無線装置５（遠隔制御）の誤動作及び不動作の抑制を図ることができる。つまり、バイパスコンデンサＣｃを通してグランドに流れるコモンモードノイズ（漏えい電流）の周波数が赤外線信号の搬送波周波数ｆＲよりも低くなることにより、制御信号（赤外線信号）に対するコモンモードノイズの影響を低減することができる。なお、カットオフ周波数ｆｃの上限値は、赤外線信号の搬送波周波数ｆＲの値に応じて変更されてもよい。例えば、赤外線信号の搬送波周波数ｆＲとの周波数の差Δｆが所定値以上となる周波数をカットオフ周波数ｆｃの上限値としてもよい。ただし、カットオフ周波数ｆｃと赤外線信号の搬送波周波数ｆＲとの周波数の差Δｆは、２．５ｋＨｚ以上であることが好ましい。
【００４３】
また、図７に示す実験結果によれば、カットオフ周波数ｆｃを３４．２ｋＨｚ以下とし、かつ、パラメータＰ１を１００ｎＦ／Ａ以上としたとき、記号×の個数はゼロとなり、無線装置５（遠隔制御）の誤動作及び不動作の大幅な抑制を図ることができる。ただし、パラメータＰ１の下限値は、１００ｎＦ／Ａに限定されず、７０〜１００ｎＦ／Ａの範囲の任意の値であってもかまわない。
【００４４】
さらに、図７に示す実験結果によれば、線分αよりも上側の領域に存在するカットオフ周波数ｆｃとパラメータＰ１の組合せであれば、記号×及び記号△の個数がいずれもゼロとなり、無線装置５（遠隔制御）の誤動作及び不動作の更なる抑制を図ることができる。なお、線分αは、カットオフ周波数ｆｃ＝３４．２ｋＨｚ及びパラメータＰ１＝３２５ｎＦ／Ａの点から、カットオフ周波数ｆｃ＝２８．０ｋＨｚ及びパラメータＰ１＝１５０ｎＦ／Ａの点を通り、パラメータＰ１＝１００ｎＦ／Ａの直線と交わる線分である。ただし、線分αは前記線分に限定されない。
【００４５】
なお、本実施形態では光源ユニット２が無線装置５を備えているが、必ずしも光源ユニット２が無線装置５を備える必要はない。例えば、器具本体４に無線装置５が取り付けられてもよい。
【００４６】
上述のように第１の態様に係る点灯装置（１）は、交流の電力系統（交流電源９）と電気的に接続されるフィルタ部（１０１）と、電力系統から入力されてフィルタ部（１０１）を通過する交流電圧を整流する整流器（１０２）とを備える。第１の態様に係る点灯装置（１）は、整流器（１０２）から出力される脈流電圧を直流電圧に変換して固体光源（ＬＥＤモジュール２２）に供給する電力変換回路（昇圧チョッパ回路１０３、降圧チョッパ回路１０４）を備える。第１の態様に係る点灯装置（１）は、制御信号を受け取り、受け取った前記制御信号に応じて電力変換回路を制御する制御回路（１０６）を備える。フィルタ部（１０１）は、電力系統と整流器（１０２）を電気的に接続する電路に挿入されるコモンモードフィルタ（１０１０）を有する。フィルタ部（１０１）は、コモンモードフィルタ（１０１０）と電気的に接続される電路と導電性の筐体（ケース１８）間に電気的に接続される少なくとも一つの第１コンデンサ（バイパスコンデンサＣｃ）を有する。コモンモードフィルタ（１０１０）と第１コンデンサにおけるコモンモードノイズのカットオフ周波数（ｆｃ）は、制御信号を伝送する無線信号（赤外線信号）の搬送波周波数（ｆＲ）よりも低い。
【００４７】
第１の態様に係る点灯装置（１）は、第１コンデンサを通して筐体（ケース１８）に流れるコモンモードノイズ（漏えい電流）の周波数を無線信号の搬送波周波数（ｆＲ）よりも低くするので、制御信号に対するコモンモードノイズの影響を低減できる。その結果、第１の態様に係る点灯装置（１）は、コモンモードノイズによる遠隔制御の誤動作及び不動作の抑制を図ることができる。
【００４８】
第２の態様に係る点灯装置（１）は、第１の態様との組合せにより実現され得る。第２の態様に係る点灯装置（１）において、無線信号の搬送波周波数（ｆＲ）が３３ｋＨｚ〜４０ｋＨｚの範囲の周波数であることが好ましい。カットオフ周波数（ｆｃ）と搬送波周波数（ｆＲ）との差（Δｆ）が２．５ｋＨｚ以上であることが好ましい。
【００４９】
第２の態様に係る点灯装置（１）は、コモンモードノイズによる遠隔制御の誤動作及び不動作の更なる抑制を図ることができる。
【００５０】
第３の態様に係る点灯装置（１）は、第１又は第２の態様との組合せにより実現され得る。第３の態様に係る点灯装置（１）において、電力変換回路は、整流器（１０２）の一対の出力端間に電気的に接続された第２コンデンサ（コンデンサＣｒ）と、チョークコイル（Ｌ１、Ｌ２）とスイッチング素子（Ｑ１、Ｑ２）を有し、かつ、力率改善機能を有する少なくとも一つのスイッチング電源回路とを備えることが好ましい。第２コンデンサの静電容量の大きさをチョークコイル（Ｌ１）に流れる電流のピーク値（ＩＬｐ）で除した値（パラメータＰ１）が１００以上となることが好ましい。
【００５１】
第３の態様に係る点灯装置（１）は、コモンモードノイズによる遠隔制御の誤動作及び不動作の大幅な抑制を図ることができる。
【００５２】
第４の態様に係る点灯装置（１）は、第１〜第３の態様のいずれか一つとの組合せにより実現され得る。第４の態様に係る点灯装置（１）において、電力変換回路は、整流器（１０２）から出力される脈流電圧を昇圧する昇圧チョッパ回路（１０３）と、昇圧チョッパ回路（１０３）の出力電圧を降圧する降圧チョッパ回路（１０４）とを有することが好ましい。
【００５３】
第４の態様に係る点灯装置（１）は、昇圧チョッパ回路（１０３）によって力率改善を行い、降圧チョッパ回路（１０４）によって固体光源への電力供給を調整することができる。
【００５４】
第５の態様に係る光源ユニット（２）は、第１〜第４の態様のいずれか一つの態様の点灯装置（１）と、点灯装置（１）に点灯させられる固体光源とを備える。
【００５５】
第５の態様に係る光源ユニット（２）は、コモンモードノイズによる遠隔制御の誤動作及び不動作の抑制を図ることができる。
【００５６】
第６の態様に係る光源ユニット（２）は、第５の態様との組合せにより実現され得る。第６の態様に係る光源ユニット（２）は、無線信号を受信し、受信した無線信号から制御信号を取得する無線装置（５）を備えることが好ましい。
【００５７】
第６の態様に係る光源ユニット（２）は、無線装置（５）を備えることによって使い勝手の向上を図ることができる。
【００５８】
第７の態様に係る照明器具（３）は、第５又は第６の態様との組合せにより実現され得る。第７の態様に係る照明器具（３）は、第５又は第６の態様に係る光源ユニット（２）と、光源ユニット（２）を支持する器具本体（４）とを備える。
【００５９】
第７の態様に係る照明器具（３）は、コモンモードノイズによる遠隔制御の誤動作及び不動作の抑制を図ることができる。
【符号の説明】
【００６０】
１  点灯装置
２  光源ユニット
３  照明器具
４  器具本体
５  無線装置
９  交流電源（電力系統）
１８  ケース（筐体）
２２  ＬＥＤモジュール（固体光源）
１０１  フィルタ部
１０２  整流器
１０３  昇圧チョッパ回路（電力変換回路）
１０４  降圧チョッパ回路（電力変換回路）
１０６  制御回路
１０１０  コモンモードフィルタ
Ｃｃ  バイパスコンデンサ（第１コンデンサ）
Ｃｒ  コンデンサ（第２コンデンサ）
Ｌ１  チョークコイル
Ｌ２  チョークコイル
Ｑ１  スイッチング素子
Ｑ２  スイッチング素子
ｆｃ  カットオフ周波数
ｆＲ  搬送波周波数
Δｆ  搬送波周波数の差
ＩＬｐ  電流のピーク値
Ｐ１  パラメータ
【図１】
2020004590.tif 000003
【図２】
2020004590.tif 000004
【図３】
2020004590.tif 000005
【図４】
2020004590.tif 000006
【図５】
2020004590.tif 000007
【図６】
2020004590.tif 000008
【図７】
2020004590.tif 000009